(57)【要約】【課題】  風圧や気圧変化等による捲れ上がりを防ぐ。【解決手段】  天井部ａと該天井部の下方側で上下方向へわたる左右の支持基体ｂ１，ｂ２との間に設けられる防煙垂れ幕において、可撓性の垂れ幕本体１０と、該垂れ幕本体の下端側に横幅方向へわたって設けられた可撓性長尺部材２０と、該可撓性長尺部材に、垂れ幕本体１０の横幅方向の張力よりも高い張力を生じさせる張力発生手段３０とを備え、垂れ幕本体１０の上端側を天井部ａに対し止着した状態で、可撓性長尺部材２０の前記横幅方向の端部側が支持基体側から引っ張られるようにした。【選択図】  図１
2013192881.tif 000002
【特許請求の範囲】
【請求項１】
天井部と該天井部の下方側で上下方向へわたる左右の支持基体との間に設けられる防煙垂れ幕において、
可撓性の垂れ幕本体と、該垂れ幕本体の下端側に横幅方向へわたって設けられた可撓性長尺部材と、該可撓性長尺部材に、前記垂れ幕本体の横幅方向の張力よりも高い張力を生じさせる張力発生手段とを備え、前記垂れ幕本体の上端側を前記天井部に対し止着した状態で、前記可撓性長尺部材の前記横幅方向の端部側が前記支持基体側から引っ張られるようにしたことを特徴とする防煙垂れ幕。
【請求項２】
前記可撓性長尺部材は、前記垂れ幕本体の下端側に対し、前記横幅方向へ移動自在であって且つ少なくとも下方向へ移動しないように係合していることを特徴とする請求項１記載の防煙垂れ幕。
【請求項３】
前記垂れ幕本体の下端側に、前記横幅方向へわたる貫通孔状の被挿通部を設け、該被挿通部に前記可撓性長尺部材を挿通したことを特徴とする請求項２記載の防煙垂れ幕。
【請求項４】
前記可撓性長尺部材の一端側を掛け回して上方へ導くように一方の前記支持基体に固定される方向変換部材を備え、該方向変換部材に掛け回された前記可撓性長尺部材の上端側が前記天井部に止着されるようにしたことを特徴とする請求項２又は３記載の防煙垂れ幕。
【請求項５】
前記張力発生手段は、前記可撓性長尺部材における前記方向変換部材よりも上方側に配置されていることを特徴とする請求項４記載の防煙垂れ幕。
【請求項６】
前記左右の支持基体のうちの少なくとも一方に止着される側方側止着部材を備え、該側方側止着部材には、前記垂れ幕本体の横幅方向の一端側部分が上下方向へわたって固定されるとともに前記方向変換部材が支持されることを特徴とする請求項４又は５記載の防煙垂れ幕。
【請求項７】
前記天井部に止着される天側止着部材を備え、該天側止着部材には、前記垂れ幕本体の上端側部分が横幅方向へわたって固定されるとともに前記可撓性長尺部材の上端側が接続されることを特徴とする請求項４乃至６何れか１項記載の防煙垂れ幕。
【請求項８】
前記垂れ幕本体の上端側を前記天井部に対し止着し、前記可撓性長尺部材の前記横幅方向の両端側を、それぞれ前記支持基体に係合したことを特徴とする請求項１乃至５何れか１項記載の防煙垂れ幕の設置構造。
【発明の詳細な説明】
【技術分野】
【０００１】
本発明は、火災時等の生じる煙の拡散を防ぐために天井等に設置される防煙垂れ幕及び該防煙垂れ幕の設置構造に関するものである。
【背景技術】
【０００２】
従来、建築・構造物の室内における天井側に設けられる防煙垂れ幕は、視野を妨げないことや、室内灯の光を遮らないこと、意匠性が良好なこと等の観点から、板ガラスが用いられることが多かった。しかし、板ガラスは、高重量で破損のおそれがあるため、運搬や施工、保管の際に注意を要する上、万が一、地震等の災害により落下した場合に衝撃が大きい。
そこで、近年では、可撓性のシート材を用いた防煙垂れ幕がある。例えば、特許文献１に記載される防煙垂れ幕では、可撓性のシート材（５）と、該シート材の下端側に設けられた線材（１８）と、これらシート材（５）及び線材（１８）の左端側を巻取るシート材巻体（４）と、シート材（５）及び線材（１８）の右端側を止着する枠体（８）とを具備している。
【０００３】
しかしながら、このような可撓性のシート材を用いた防煙垂れ幕では、火災時等に発生する風や室内の気圧変化等により、防煙垂れ幕が捲れ上がり、防煙機能を損ねてしまうおそれがある。このため、前記従来技術では、可撓性のシート体（５）及び線材（１８）における横幅方向の端部を、左右のシート材巻体（４）と枠体（８）に止着し、シート体（５）及び線材（１８）を、上下方向の全体にわたって横幅方向へ引っ張るようにしており、横幅方向の端部側には、シート材巻体（４）や枠体（８）等の比較的頑強な止着構造を要する。
【先行技術文献】
【特許文献】
【０００４】
【特許文献１】特開２００７−２９１０９号公報
【発明の概要】
【発明が解決しようとする課題】
【０００５】
本発明は、上記従来事情に対処することを課題の一例とするものである。すなわち、火災時等のおける煙の拡散を防ぐこと、収納や運搬、取扱い、施行が容易なこと、地震等により落下した場合でも比較的衝撃が少ないこと、風圧や気圧変化等による捲れ上がりを防げること、皺や弛みを生じ難いこと、横幅方向端部側の止着構造を簡素化すること等、が本発明の目的である。
【課題を解決するための手段】
【０００６】
上記課題を解決するための一手段は、天井部と該天井部の下方側で上下方向へわたる左右の支持基体との間に設けられる防煙垂れ幕において、可撓性の垂れ幕本体と、該垂れ幕本体の下端側に横幅方向へわたって設けられた可撓性長尺部材と、該可撓性長尺部材に、前記垂れ幕本体の横幅方向の張力よりも高い張力を生じさせる張力発生手段とを備え、前記垂れ幕本体の上端側を前記天井部に対し止着した状態で、前記可撓性長尺部材の前記横幅方向の端部側が前記支持基体側から引っ張られるようにしたことを特徴とする。
【発明の効果】
【０００７】
本発明は、以上説明したように構成されているので、以下に記載されるような作用効果を奏する。
比較的軽量な可撓性の垂れ幕本体により火災時等における煙の拡散を防ぐことができる上、横幅方向の端部側の止着構造を、従来のものと比べて簡素化することができる。
【図面の簡単な説明】
【０００８】
【図１】本発明に係る防煙垂れ幕及び該防煙垂れ幕の設置構造の一例を示す正面図である。
【図２】図１における(II)-(II)線に沿う切断端面図である。
【図３】図１における(III)-(III)線に沿う切断端面図である。
【図４】図１における(IV)-(IV)線に沿う切断端面図である。
【図５】本発明に係る防煙垂れ幕及び該防煙垂れ幕の設置構造の他例を示す正面図である。
【図６】図１における(VII)-(VII)線に沿う切断端面図である。
【発明を実施するための形態】
【０００９】
本発明を実施するために第一の形態の防煙垂れ幕では、天井部と該天井部の下方側で上下方向へわたる左右の支持基体との間に設けられる防煙垂れ幕において、可撓性の垂れ幕本体と、該垂れ幕本体の下端側に横幅方向へわたって設けられた可撓性長尺部材と、該可撓性長尺部材に、前記垂れ幕本体の横幅方向の張力よりも高い張力を生じさせる張力発生手段とを備え、前記垂れ幕本体の上端側を前記天井部に対し止着した状態で、前記可撓性長尺部材の前記横幅方向の端部側が前記支持基体側から引っ張られるようにした。
この形態によれば、張力発生手段により、可撓性長尺部材に張力を発生させれば、垂れ幕本体の下端側が横幅方向へ張り、火災時の風圧や気圧差等により垂れ幕本体の下端側が捲れ上がるのを防ぐことができる。
【００１０】
なお、前記支持基体は、天井部から垂下されるとともに左右に間隔を置いて配置された部材であればよく、この支持基体には、天井部に対し垂下状に配置される壁や梁、その他の部材を含む。
また、前記可撓性長尺部材は、可撓性を有する長尺状の部材であればよく、この可撓性長尺部材には、紐状部材や帯状部材を含む。
前記可撓性長尺部材の具体例としては、ワイヤーや、紐、ロープ、電線、長尺帯状の布、長尺帯状の合成樹脱製シート、ベルト、ゴム紐等が挙げられる。
前記可撓性長尺部材は、垂れ幕本体の下端側に横幅方向へわたって設けられるが、下端側と上側部分等、複数設けることも可能である。
また、前記可撓性長尺部材は、より好ましくは前記垂れ幕本体の下端部又は下端部近傍に配置される。
前記張力発生手段は、前記垂れ幕本体の横幅方向の張力よりも高い張力を生じさせるものであればよく、この張力発生手段には、前記可撓性長尺部材をゼンマイやモータの付勢力によって巻取体に巻き取るようにした機構や、スプリング等の付勢部材の付勢力によって前記可撓性長尺部材を引っ張るようにした構成、錘体の重量によって前記可撓性長尺部材を引っ張るようにした構成、可撓性長尺部材としてゴム紐やコイルスプリング等の長尺弾性体を用いた態様等を含む。
前記張力発生手段の特に好ましい態様としては、外部操作されることにより前記可撓性長尺部材に張力を生じさせるように構成される。
また、前記「前記可撓性長尺部材の前記横幅方向の端部側が前記支持基体側から引っ張られるようにした」という構成には、前記可撓性長尺部材の両端側をそれぞれ左右の支持基体に止着するとともに前記可撓性長尺部材に前記張力発生手段によって張力を生じさせた態様、前記可撓性長尺部材の一端側又は両端側を支持基体に支持された方向変換部材に掛け回して前記天井部に止着するとともに前記可撓性長尺部材に前記張力発生手段によって張力を生じさせた態様等を含む。
【００１１】
第二の形態では、前記可撓性長尺部材は、前記垂れ幕本体の下端側に対し、前記横幅方向へ移動自在であって且つ少なくとも下方向へ移動しないように係合している。
この形態によれば、例えば可撓性長尺部材を横幅方向へ引っ張った場合に、垂れ幕本体が一緒に横方向へ引っ張られて皺になるようなことを防ぐことができる。
【００１２】
第三の形態では、前記垂れ幕本体の下端側に、前記横幅方向へわたる貫通孔状の被挿通部を設け、該被挿通部に前記可撓性長尺部材を挿通した。
【００１３】
第四の形態では、前記可撓性長尺部材の一端側を掛け回して上方へ導くように一方の前記支持基体に固定される方向変換部材を備え、該方向変換部材に掛け回された前記可撓性長尺部材の上端側が前記天井部に止着されるようにした。
【００１４】
第五の形態では、前記張力発生手段は、前記可撓性長尺部材における前記方向変換部材よりも上方側に配置されている。
【００１５】
第六の形態では、前記左右の支持基体のうちの少なくとも一方に止着される側方側止着部材を備え、該側方側止着部材には、前記垂れ幕本体の横幅方向の一端側部分が上下方向へわたって固定されるとともに前記方向変換部材が支持される。
【００１６】
第七の形態では、前記天井部に止着される天側止着部材を備え、該天側止着部材には、前記垂れ幕本体の上端側部分が横幅方向へわたって固定されるとともに前記可撓性長尺部材の上端側が接続される。
【００１７】
第八の形態は、防煙垂れ幕の設置構造であって、前記垂れ幕本体の上端側を前記天井部に対し止着し、前記可撓性長尺部材の前記横幅方向の両端側を、それぞれ前記支持基体に係合した。
ここで、より好ましい形態としては、前記第八の形態において、前記可撓性長尺部材の前記横幅方向の両端側を、それぞれ下方へ引っ張りながら前記支持基体に固定する。この形態によれば、垂れ幕本体が下方へ引っ張られるため、該垂れ幕本体に皺や弛みが生じるのを効果的に防ぐことができる。
【００１８】
以下、上記形態の特に好ましい実施例を、図面に基づいて詳細に説明する。
【実施例】
【００１９】
図１は、本発明に係る防煙垂れ幕及び該防煙垂れ幕の設置構造を示している。
この防煙垂れ幕１は、天井部ａと該天井部ａから垂下された左右の支持基体ｂ１，ｂ２との間に設けられ、可撓性の垂れ幕本体１０と、該垂れ幕本体の下端側を通るように設けられた可撓性長尺部材２０と、該可撓性長尺部材２０に、前記垂れ幕本体１０の横幅方向の張力よりも高い張力を生じさせる張力発生手段３０と、左右の支持基体ｂ１，ｂ２にそれぞれ止着される左右の側方側止着部材４０，５０と、天井部ａに止着される天側止着部材６０とを備え、垂れ幕本体１０の上端側を天井部ａに対し止着した状態で、可撓性長尺部材２０の前記横幅方向の両端側が、それぞれ支持基体ｂ１，ｂ２側から引っ張られるように構成される。
【００２０】
天井部ａは、当該防煙垂れ幕１の設置対象である建築・構造物等の室内の天井面である。
支持基体ｂ１，ｂ２は、天井部ａの下方側で上下方向へわたる固定された物体であればよく、例えば、壁面や、梁等とされる。
【００２１】
垂れ幕本体１０は、例えば、ガラスクロスやシリカクロス等の難燃性布地や、フッ素加工を施した塩化ビニル樹脂シート材、ガラス繊維を含んだ合成樹脂シート材等、遮煙性、必要に応じ耐火性（難燃性を含む）を有する可撓性シート材料によって構成される。この垂れ幕本体１０は、視野を妨げないことや、室内灯の光を遮らないこと、意匠性が良好なこと等の観点から、特に、半透明のシート材から横幅方向へ長尺な平面視略矩形状に形成される。
この垂れ幕本体１０は、上端側の部分が後述する天側止着部材６０と天井部ａとの間に挟まれるようにして、これら天側止着部材６０及び天井部ａに固定される（図２参照）。また、垂れ幕本体１０の左右端側の部分が、それぞれ、後述する側方側止着部材４０と支持基体ｂ１との間、側方側止着部材５０と支持基体ｂ２との間に挟まれるようにして、これら側方側止着部材４０及び支持基体ｂ１、側方側止着部材５０及び支持基体ｂ２に固定される（図３参照）。
【００２２】
そして、この垂れ幕本体１０の下端側の部分には、横幅方向へわたる貫通孔状の被挿通部１１が設けられる。
この被挿通部１１は、垂れ幕本体１０の下端側を上方へ折り返し止着することで、図２に示すように、断面袋状に形成され、可撓性長尺部材２０を横幅方向へ移動自在であって且つ上下方向へ移動しないように挿通する。
【００２３】
可撓性長尺部材２０は、本実施例によれば、金属製のワイヤーが用いられる。
この可撓性長尺部材２０は、垂れ幕本体１０の被挿通部１１に挿通され、その一端側が止着具１２を介して側方側止着部材４０に止着され、他端側は、方向変換部材１３に掛け回されて張力発生手段３０を介して天井部ａに止着される。
【００２４】
止着具１２は、可撓性長尺部材２０に接続されるとともに側方側止着部材４０に固定される部材であればよく、本実施例によれば、Ｕ字状部材の両端側に軸状部材を挿通してなるシャックルが用いられる。
この止着具１２は、可撓性長尺部材２０の横幅方向の一端側を、左側の側方側止着部材４０を介して支持基体ｂ１に固定される。
【００２５】
また、方向変換部材１３は、可撓性長尺部材２０の他端側（図１によれば右端側）を掛け回して上方へ導く部材であり、本実施例によれば、前記止着具１２と同様のシャックルが用いられる。
この方向変換部材１３は、可撓性長尺部材２０の横幅方向の他端側を、右側の側方側止着部材５０を介して支持基体ｂ２に固定される。
【００２６】
止着具１２と方向変換部材１３の固定位置は、可撓性長尺部材２０の水平状部分２１の中心線と側方側止着部材４０，５０との交点とすればよいが、より好ましい態様としては、可撓性長尺部材２０の水平状部分２１の横幅方向の両端側を、それぞれ下方へ引っ張るように、止着具１２と方向変換部材１３の固定位置を、可撓性長尺部材２０における被挿通部１１に挿通された部分の中心よりも若干下方側とする。
この構成によれば、垂れ幕本体１０の下端側を下方へ引っ張り、垂れ幕本体１０に皺や弛みが生じるのを効果的に防ぐことができる。
【００２７】
また、可撓性長尺部材２０の前記他端側は、方向変換部材１３によって上方へ導かれた後に、張力発生手段３０の下端に止着される。
張力発生手段３０は、外部操作されることにより可撓性長尺部材２０に張力を生じさせるように構成され、本実施例によれば、外部操作によって比較的高い張力が得られるように、ターンバックルを用いる。より詳細に説明すれば、この張力発生手段３０は、上下方向の中央側に位置する本体部３１と、該本体部３１の下端側に螺合された下側係合部３２と、同本体部３１の上側に螺合接続された上側係合部３３とからなり、上下の係合部３２，３３に対し本体部３１を回すことにより、上下の係合部３２，３３間を収縮させるように構成される。
そして、この張力発生手段３０の上側係合部３３は、略Ｕ字状の止着具３４及び天側止着部材６０を介して天井部ａに止着され、同張力発生手段３０の下側係合部３２は、可撓性長尺部材２０の上端部に止着される。
したがって、本体部３１を一方向へ回せば、上下の係合部３２，３３間が狭まり、可撓性長尺部材２０に張力を生じ、本体部３１を逆方向へ回せば、上下の係合部３２，３３が離れ、可撓性長尺部材２０が緩むことになる。
【００２８】
一方の側方側止着部材４０は、上下方向へ連続する略棒状の部材であり、図示例によれば、垂れ幕本体１０の上下寸法と略同長さの断面Ｌ字状アングルが用いられる。
この側方側止着部材４０の下端側には貫通孔が穿設され、該貫通孔に、前記止着具１２（シャックル）が挿通され支持される。
そして、この側方側止着部材４０は、垂れ幕本体１０の横幅方向の一端側を支持基体ｂ１との間に挟んだ状態で、上下方向に間隔を置いて配設される複数の止着具（図示例によればネジ）によって、一方の支持基体ｂ１に固定される。
【００２９】
他方の側方側止着部材５０は、上下方向へ連続する略棒状の部材であり、図示例によれば、前記側方側止着部材４０と左右対称に、断面Ｌ字状アングルを用いている。
この側方側止着部材５０の下端側には貫通孔が穿設され、該貫通孔に、前記方向変換部材１３（シャックル）が挿通され支持される。
そして、この側方側止着部材５０は、垂れ幕本体１０の横幅方向の他端側を支持基体ｂ２との間に挟んだ状態で（図３参照）、上下方向に間隔を置いて配設される複数の止着具（図示例によればネジ）によって、他方の支持基体ｂ２に固定される。
【００３０】
また、天側止着部材６０は、横幅方向へ連続する略棒状の部材であり、図示例によれば、垂れ幕本体１０の横幅方向の寸法と略同長さの断面Ｌ字状アングルを用いている。この天側止着部材６０の一方の端部側（図示例によれば右端側）には、止着具３４を介して張力発生手段３０の上端部が吊持状に支持される。
【００３１】
上記構成の防煙垂れ幕１及び該防煙垂れ幕１の設置構造によれば、張力発生手段３０によって可撓性長尺部材２０に張力を生じさせると、可撓性長尺部材２０における垂れ幕本体１０下端側に挿通された水平状部分２１が横幅方向へ引っ張られる。そのため、該水平状部分２１は、垂れ幕本体１０の厚み方向へ撓み難くなる。このため、水平状部分２１を挿通している垂れ幕本体１０の下端側も、厚み方向へ撓み難くなり、ひいては、火災時の熱風や圧力差により垂れ幕本体１０の下端側が捲り上がり防煙機能を損ねてしまうようなことを防ぐことができる。
【００３２】
次に、図５に示す実施例について説明する。この実施例の防煙垂れ幕２は、上記防煙垂れ幕１の構成を一部変更したものであるため、その変更部分について主に説明し、重複する詳細説明は省略する。
【００３３】
防煙垂れ幕２は、天井部ａと該天井部ａから垂下された左右の支持基体ｂ１，ｂ２との間に設けられ、可撓性の垂れ幕本体１０’と、該垂れ幕本体１０’の下端側に装着された被挿通部１１’と、該被挿通部１１’内を通るように設けられた可撓性長尺部材２０’と、該可撓性長尺部材２０’に、前記垂れ幕本体１０’の横幅方向の張力よりも高い張力を生じさせる張力発生手段３０’と、左右の支持基体ｂ１，ｂ２にそれぞれ止着される左右の側方側止着部材４０，５０と、天井部ａに止着される天側止着部材６０とを備え、垂れ幕本体１０’の上端側を天井部ａに対し止着した状態で、可撓性長尺部材２０’の前記横幅方向の両端側が、それぞれ支持基体ｂ１，ｂ２側から引っ張られるように構成される。
【００３４】
垂れ幕本体１０’は、上記垂れ幕本体１０と同材質のシート材から平面視矩形状に形成され、上記垂れ幕本体１０と同様にして、上端側が天側止着部材６０及び天井部ａに、左端側が側方側止着部材４０及び支持基体ｂ１に、右端側が側方側止着部材５０及び支持基体ｂ２に、それぞれ固定される。
【００３５】
被挿通部１１’は、垂れ幕本体１０’の下端縁に、横幅方向へわたって連続的に設けられた部材であり、可撓性長尺部材２０’を横幅方向へ移動自在であって且つ上下方向へ移動しないように挿通する。
この被挿通部１１’は、図５に示すように、垂れ幕本体１０’を挟むようにして配置される一半部１１ａ’と他半部１１ｂ’、これらを止着する止着具１１ｃ’とから構成される。
【００３６】
一半部１１ａ’は、垂れ幕本体１０’の横幅方向の寸法よりも若干短い長尺状の部材であり、その内側における上部側に垂れ幕本体１０’下端を挟むための挟持部１１ａ１’を有し、同内側における下部側に横幅方向へわたって連続する凹溝１１ａ２’を有する。
他半部１１ｂ’は、一半部１１ａ’と対称の部材であり、一半部１１ａ’と同様にして、挟持部１１ｂ１’と凹溝１１ｂ２’を有する。
これら一半部１１ａ’と他半部１１ｂ’は、垂れ幕本体１０’のように撓むことのない剛性を有する材料から形成される。この材料は、万が一落下した際の衝撃を緩和する観点からは、軟質合成樹脂材料等の可撓性を有する材料が好ましく、また、垂れ幕本体１０’の横幅方向の撓みを抑制する観点からは、硬質合成樹脂材料や金属材料等が好ましい。
これら一半部１１ａ’と他半部１１ｂ’は、垂れ幕本体１０’の下端側に、該垂れ幕本体１０’を挟むようにして装着され、貫通挿入され締め付けられる止着具１１ｃ’（図示例によればボルトとナット）により、不動に固定される
そして、前記のようにして構成される被挿通部１１’は、両凹溝１１ａ２’，１１ｂ２’によって形成される貫通孔に、可撓性長尺部材２０’を挿通する。
【００３７】
可撓性長尺部材２０’は、上記可撓性長尺部材２０と同材質の長尺状部材であり、被挿通部１１’に挿通された状態で、その一端側が止着具１２（例えばシャックル）を介して側方側止着部材４０に止着され、その他端側が後述する張力発生手段３０’と止着具１２’（例えばシャックル）を介して側方側止着部材５０に止着される。
これら左右の止着位置は、好ましくは、可撓性長尺部材２０’の両端側が下方へ引っ張られるように、可撓性長尺部材２０’における被挿通部１１’に挿通された部分の中心よりも若干下方側の位置とする。
【００３８】
張力発生手段３０’は、引張りバネやゴム等の弾性体（図示例によれば引張りバネ）であり、可撓性長尺部材２０’の前記他端側と止着具１２’との間に接続され、張力発生手段３０’に張力を生じさせる。
この張力発生手段３０’は、上記張力発生手段３０（ターンバックル）や、他の張力発生機構、他の弾性体等に置換することが可能である。
【００３９】
上記構成の防煙垂れ幕２及び該防煙垂れ幕２の設置構造によれば、垂れ幕本体１０’に対し被挿通部１１’を装着した時点で垂れ幕本体１０’が被挿通部１１’の重量によって下方へ引っ張られ、垂れ幕本体１０’の皺や弛みを除去することができる。
さらに、可撓性長尺部材２０’に生じる横幅方向の張力により、可撓性長尺部材２０’は、垂れ幕本体１０’の厚み方向へ撓み難くなくなる。このため、可撓性長尺部材２０’と係合している垂れ幕本体１０’の下端側も、厚み方向へ撓み難くなり、ひいては、火災時の熱風や圧力差により垂れ幕本体１０の下端側が捲り上がり防煙機能を損ねてしまうようなことを防ぐことができる。
【００４０】
なお、上記実施例において、防煙垂れ幕１では、張力発生手段３０を可撓性長尺部材２０の上端側に配置したが、他例としては、張力発生手段３０を可撓性長尺部材２０の水平状部分２１の部分における端部又は中途部分、あるいは防煙垂れ幕２における中途部分に配置することも可能である。
同様に、防煙垂れ幕２では、張力発生手段３０’を可撓性長尺部材２０’の一端側に設けたが、他例としては、張力発生手段３０’を可撓性長尺部材２０’の中途部分に配置することも可能である。
【００４１】
また、上記実施例では、張力発生手段３０又は３０’を、単数用いるようにしたが、他例としては、張力発生手段３０又は３０’を、同一箇所又は異なる箇所に複数設けることも可能である。
【００４２】
また、上記実施例では、張力発生手段が可撓性長尺部材の長さ方向に連続する態様としたが、張力発生手段の他例としては、可撓性長尺部材自体をゴムや引張りバネ等の長尺状弾性体により形成するようにしてもよい。
【００４３】
また、上記実施例において、防煙垂れ幕１では、横幅方向の一端側のみを方向変換部材１３により上方へ向けて天井部ａに止着するようにしたが、他例としては、横幅方向の両端側をそれぞれ方向変換部材により上方へ向けて天井部ａに止着することも可能である。
【００４４】
また、上記実施例では、可撓性長尺部材２０又は２０’を横方向へ連続する貫通孔状の被挿通部１１又は１１’に挿通したが、他例としては、垂れ幕本体の下端側に厚み方向へ貫通する貫通孔を間隔を置いて設け、これら複数の貫通孔に、可撓性長尺部材２０又は２０’を波縫い状に挿通し、その両端を引っ張るようにすることも可能である。
【００４５】
また、上記実施例において、防煙垂れ幕１では、方向変換部材１３としてシャックルを用いたが、方向変換部材１３の他例としては、可撓性長尺部材２０を掛け回して水平方向から上方向へ方向変換する滑車状の部材とすることも可能である。
【００４６】
また、上記実施例において、防煙垂れ幕１では、被挿通部１１を可撓性長尺部材２０における水平状部分２１のみに設けたが、他例としては、略同構成の被挿通部を、可撓性長尺部材２０における垂直状部分２２（方向変換部材１３よりも上側の部分）にも設けてもよい。
【００４７】
また、上記実施例では、垂れ幕本体１０又は１０’の上端部及び左右端部を、止着部材６０，４０又は５０と、天井部ａ，支持基体ｂ１又は支持基体ｂ２との間に挟んで固定するようにしたが、他例としては、垂れ幕本体１０又は１０’の上端部及び左右端部を、それぞれ止着部材６０，４０又は５０に直接接続した態様や、垂れ幕本体１０又は１０’の上端部及び左右端部を、それぞれ天井部ａ，支持基体ｂ１又は支持基体ｂ２に直接接続した態様等とすることも可能である。
【００４８】
上記実施例では、当該防煙垂れ幕１又は２を平坦面状に構成したが、他例としては、防煙垂れ幕１又は２を、曲面状や折曲状に構成することも可能である。
【００４９】
また、上記実施例では、特に好ましい態様として垂れ幕本体１０又は１０’の上端部と左右端部を不動部位に止着する構造としたが、他例としては、垂れ幕本体１０又は１０’の上端部のみを不動部位に止着し、左右端部を止着しない構造とすることも可能であり、この他例によっても、可撓性長尺部材２０の張力によって垂れ幕本体１０又は１０’の下端側が捲れ上がるのを抑制することができる。
【００５０】
また、上記実施例では、可撓性長尺部材２０又は２０’を単数設けるようにしたが、他例としては、可撓性長尺部材を複数並設することも可能である。
【００５１】
また、上記実施例では、防煙垂れ幕１には垂れ幕本体１０と一体に被挿通部１１を設け、防煙垂れ幕２には垂れ幕本体１０’と別体の被挿通部１１’を設けたが、他例としては、防煙垂れ幕１における垂れ幕本体１０の被挿通部１１を別体の被挿通部１１’に置換した態様や、逆に、防煙垂れ幕２における垂れ幕本体１０’の被挿通部１１’を一体の被挿通部１１に置換した態様とすることも可能である。
【００５２】
また、上記実施例では、被挿通部１１を垂れ幕本体１０の横幅方向の略全長にわたって連続的に設けたが、他例としては、略同様の断面形状の被挿通部を垂れ幕本体１０の横幅方向の一部分に設けたり、略同様の断面形状の被挿通部を垂れ幕本体１０の横幅方向へ間隔を置いて複数設けたり等することも可能である。
【００５３】
また、上記防煙垂れ幕１（又は２）を横幅方向へ複数連装することも可能であり、この場合、隣り合う防煙垂れ幕１，１（又は２，２）の間における側方側止着部材４０と側方側止着部材５０を止着具等により接続するようにしてもよいし、隣り合う防煙垂れ幕１，１（又は２，２）を、中柱のような仲介部材（図示せず）を介して接続するようにしてもよい。あるいは、隣り合う防煙垂れ幕１，１（又は２，２）を、二つの側方側止着部材４０，５０を背中合わせに接合した形状の部材（図示せず）を介して接続するようにしてもよい。
【符号の説明】
【００５４】
１，２：防煙垂れ幕                １０，１０’：垂れ幕本体
１１，１１’：被挿通部            １２，１２’：止着具
１３：方向変換部材                ２０，２０’：可撓性長尺部材
３０，３０’：張力発生手段        ４０，５０：側方側止着部材
６０：天側止着部材                ａ：天井部
ｂ１，ｂ２：支持基体
【図１】
2013192881.tif 000003
【図２】
2013192881.tif 000004
【図３】
2013192881.tif 000005
【図４】
2013192881.tif 000006
【図５】
2013192881.tif 000007
【図６】
2013192881.tif 000008